(57)【要約】【課題】      地震によるドア枠の変形に応じてドアが座屈変形することによってドアが開閉不能となるのを防止できるようにした耐震ドアを提供する。【解決手段】  ドアＡの中骨１における戸先側縦枠１２に室外側のＶ字状屈曲部による脆弱部１６，室内側の気密材受１２４とともに設けた同じくＶ字状屈曲部による脆弱部１６を配置する一方，中骨１の上下横枠１４と中間横枠１５の水平面にも同様にＶ字状屈曲部による脆弱部１６を配置することによって，地震時のドア枠６の変形加圧を受けてこれら中骨１の脆弱部１６を座屈し，比較的薄肉の表面板２がこれに追随して座屈することにより座屈変形自在性を確保した耐震ドアＡを構成する。【選択図】    図１
2007023684.tif 000002
【特許請求の範囲】
【請求項１】
ドア枠の変形加圧を受けることによって幅方向の座屈変形を許容する脆弱部を備えてなることを特徴とする座屈変形自在の耐震ドア。
【請求項２】
上記脆弱部を，中骨の戸先側縦枠と該縦枠に交差する横枠に形成してなることを特徴とする請求項１に記載の座屈変形自在の耐震ドア。
【請求項３】
上記脆弱部を，表裏双方又は一方の表面板に追加的に形成してなることを特徴とする請求項２に記載の座屈変形自在の耐震ドア。
【請求項４】
上記脆弱部を，ドア枠の変形加圧を受けて圧縮自在な単一乃至複数のＶ字状屈曲部又はドア枠の変形加圧を受けてスライド自在な単一乃至複数の挟持係合部の配置によって形成してなることを特徴とする請求項１，２又は３に記載の座屈変形自在の耐震ドア。
【発明の詳細な説明】
【技術分野】
【０００１】
本発明は，マンション等の出入口に設置使用される座屈変形自在の耐震ドアに関する。
【背景技術】
【０００２】
この種マンション等に設置されるドアに耐震性を付与するについては，一般にドア枠とドアとの間にクリアランスを配置し，該クリアランスによってドア枠の変形を吸収してドア枠とドアとの圧着による開閉不能を解消するようにしたものが使用されており，最近では，これに加えて更にドアにローラーを設置し，該ローラーによってドア枠とドア間の摩擦抵抗を減少してその開閉を確実化するようにしたものが提案され，またドア自体に耐震性を付与した耐震ドアとして，ドアの面内に更に子扉を配置し，ドア枠の変形によってドアが開閉不能となっても面内の子扉を開閉することによって出入りを可能とするようにしたものが提案されている。
【０００３】
【特許文献１】特開平１１−１３３５８号公報
【特許文献２】特開２００４−６８２５４号公報
【発明の開示】
【発明が解決しようとする課題】
【０００４】
しかし乍ら，上記ドア枠とドア間にクリアランスを配置したもの，これに加えて更にドアにローラーを介設して耐震性を確保するものにあっては，クリアランスの設定やローラーの介設のために専用のドア枠とドアとをセット化されたものとなるから，建物の新築時にこれらをセットとして設置するに特段の問題はないが，ドア改装にあっては躯体に設置されたドア枠を撤去した上で新築時と同様にドア枠とドアをセットとして設置するために工事が大掛かりになる欠点がある。このため，例えば本出願人の特開２００３−２０８６７号のように，既設のドアを撤去し，残存した既設のドア枠を使用して，これに新設のドアを設置する如くにドアを交換的に設置して断熱性や防音性を確保し得るようにした簡易なドア改装も提案されているが，この場合既設のドア枠と新設のドアとが別個独立に構成される結果，これらの間にクリアランスの配置やローラーの設置を行うことができず，このような簡易なドア改装において耐震性を確保することは困難である。一方，上記ドアの面内に子扉を配置した耐震ドアにあっては，子扉を独立して開閉できるから，建物の新築時や上記ドアの交換的設置による簡易なドア改装の双方に使用できるが，この場合子扉を設置するためにドアの構造が複雑化しコストアップを避けられないという問題点がある。
【０００５】
本発明はかかる事情に鑑みてなされたもので，その解決課題とするところは，ドア枠とともにする新築やドア改装並びにドアを交換的に設置する簡易なドア改装に汎用的に使用できるとともに可及的簡易な構造にして確実な耐震性を低コストに確保し得るようにした座屈変形自在の耐震ドアを提供するにある。
【課題を解決するための手段】
【０００６】
上記課題に沿って本発明は，一般にドアは高い剛性を備えて構成されるところ，該ドアの面内所定位置に脆弱部を配置し，地震によってドア枠が変形したとき，その変形加圧を受けることによってこれに追随して，上記脆弱部においてドアの部分的な座屈変形を許容し，例えばドア枠が平行四辺形となるように縦枠が傾斜変形したとき，部分座屈によってドアの戸先を，戸先側の縦枠の傾斜に沿ってこれに馴染んで変形させるように，ドアの座屈変形自在性を確保して，ドア枠変形時のドア枠とドアの圧着によるドア開閉不能を解消するようにしたものであって，即ち請求項１に記載の発明を，ドア枠の変形加圧を受けて幅方向の座屈変形を許容する脆弱部を備えてなることを特徴とする座屈変形自在の耐震ドアとしたものである。
【０００７】
請求項２に記載の発明は，上記に加えて，ドアの中骨（内部フレームといってもよい）には，一般に厚肉系の鋼板を使用してドアの剛性を確保する一方，表裏の表面板には，一般に薄肉系の鋼板を使用して表面を化粧被覆するところ，中骨に脆弱部を形成してドア枠の変形加圧を受けて該中骨の脆弱部で座屈変形を許容すれば，表面板は中骨の座屈変形に追随して座屈変形することが可能となることから，上記脆弱部を中骨に形成して可及的簡易に上記ドアの座屈変形自在性を確保し得る形態のものとするように，これを，上記脆弱部を，中骨の戸先側縦枠と該縦枠に交差する横枠に形成してなることを特徴とする請求項１に記載の座屈変形自在の耐震ドアとしたものである。
【０００８】
請求項３に記載の発明は，同じく上記に加えて，上記脆弱部を表面板にも形成することによって更にドアの座屈変形を容易且つ確実に行うことが可能となることから，上記脆弱部を中骨と表面板に形成して可及的確実に上記ドアの座屈変形自在性を確保し得る形態のものとするように，これを，上記脆弱部を，表裏双方又は一方の表面板に追加的に形成してなることを特徴とする請求項２に記載の座屈変形自在の耐震ドアとしたものである。
【０００９】
請求項４に記載の発明は，同じく上記に加えて，上記脆弱部を単一乃至複数のＶ字状屈曲部を配置して該脆弱部をドア枠の変形加圧で圧縮自在とし，また単一乃至複数の挟持係合部を配置して脆弱部をドア枠の変形加圧でスライド自在とすることによって，可及的簡易な脆弱部構造によって上記ドアの座屈変形自在性を確実に確保し得るものとするように，これを，上記脆弱部を，ドア枠の変形加圧を受けて圧縮自在な単一乃至複数のＶ字状屈曲部又はドア枠の変形加圧を受けてスライド自在な単一乃至複数の挟持係合部の配置によって形成してなることを特徴とする請求項１，２又は３に記載の座屈変形自在の耐震ドアとしたものである。
【００１０】
本発明はこれらをそれぞれ発明の要旨として上記課題解決の手段としたものである。
【発明の効果】
【００１１】
本発明は以上のとおりに構成したから，請求項１に記載の発明は，ドアの座屈変形自在性を確保して，ドア枠変形時のドア枠とドアの圧着によるドア開閉不能を解消し，ドア枠とともにする新築やドア改装並びにドアを交換的に設置する簡易なドア改装に汎用的に使用できるとともにドアに脆弱部を配置するという簡易な構造にして確実な耐震性を低コストに確保し得る座屈変形自在の耐震ドアを提供することができる。
【００１２】
請求項２に記載の発明は，上記に加えて，ドアの中骨に脆弱部を形成してドア枠の変形加圧を受けて該中骨の脆弱部で座屈変形を許容し，表面板は中骨の座屈変形に追随して座屈変形するようにしすることによって，可及的簡易に上記ドアの座屈変形自在性を確保したものとすることができる。
【００１３】
請求項３に記載の発明は，同じく上記に加えて，上記脆弱部を中骨と表面板に形成して可及的確実に上記ドアの座屈変形自在性を確保したものとすることができる。
【００１４】
請求項４に記載の発明は，同じく上記に加えて，可及的簡易な脆弱部構造によって上記ドアの座屈変形自在性を確実に確保したものとすることができる。
【発明を実施するための最良の形態】
【００１５】
以下図面の例に従って本発明を更に具体的に説明すれば，図示した例は，簡易なドア改装によって，ドア枠６を既設のものとして残存し，該既設のドア枠６を使用して，既設のドアと交換的に座屈変形自在の耐震ドアＡを設置した例であって，該耐震ドアＡは，例えばドア枠６に同じく交換的に設置した，図示省略のスプリング入り耐震ヒンジを介してその吊元側を吊支持して，耐震性を更に確実にしてその設置を行ったものとしてある。
【００１６】
図１乃至図３の例において，耐震ドアＡは，ドア枠６の変形加圧を受けて幅方向の座屈変形を許容する脆弱部１６を備えたものとしてあり，これによって耐震ドアＡとして座屈変形性を確保し，地震時に変形したドア枠６とドアとが圧着して生じるドアの開閉不能を解消したものとしてある。
【００１７】
本例にあって該耐震ドアＡの脆弱部１６は，これを，中骨１の戸先側縦枠１２と該縦枠１２に交差する横枠１４，１５に形成したものとし，また該脆弱部１６は，これを，ドア枠６の変形加圧を受けて圧縮自在な単一乃至複数のＶ字状屈曲部の配置によって形成したものとしてある。
【００１８】
本例の耐震ドアＡは，その基本構造を，例えば鋼製の中骨１を内部に配置し，これに表裏の表面板２として化粧鋼板を張設し且つ中骨１間の空隙に断熱防音材３を配置することによって断熱防音及び防火性能を高度に確保しドアパネルを備えた鋼製フラッシュドア乃至その面内中央部に採光窓を配置したものとしてあり，このとき鋼製の中骨１を，例えば常法に従って１．６ｍｍ厚の厚肉形にしてロールホーミングを施すことによって断面コ字状とした鋼板部材とする一方，表面板２の化粧鋼板を，同じく常法に従って０．６乃至０．８ｍｍ厚の薄肉系の表裏一対のパネル部材としたものとしてある。
【００１９】
耐震ドアＡにおける鋼製の中骨１は，同じく常法に従って吊元側縦枠１１と戸先側縦枠１２，中間縦枠１３，上下横枠１４及び縦枠１１，１２，１３間の中間横枠１５を格子状に枠組みしたものとしてあり，このとき，本例の上記脆弱部１６は，これを，戸先側縦枠１２と上下横枠１４にこれを形成するとともに該戸先側縦枠１２とその隣接する中間縦枠１３間の中間横枠１５にこれを形成することによって耐震ドアＡの表裏囲繞方向，特に中骨１における戸先の表裏囲繞方向に配置してある。
【００２０】
上記脆弱部１６を配置した縦枠，本例にあって戸先側縦枠１２は，その生産を容易化し且つ脆弱部１６の脆弱性を可及的高度に確保し得るように，例えば室外側の鋼板戸先部材１２１及び室内側のアルミ戸先部材１２２の複数部材によって構成したものとしてある。即ち，本例の戸先側縦枠１２は，該複数部材のうち鋼板戸先部材  を平面Ｌ字状として室外側の戸先部分を覆い，アルミ戸先部材  は，その室内側を長寸化し該室内側に気密材受１２３を形成した平面コ字状として戸先部分において上記鋼板戸先部材  に重合し，例えば接着等の固定手段によって固定して同じく室内側の戸先部分を覆って配置したものとしてある。
【００２１】
このとき上記室外側で戸先部分を構成する鋼板戸先部材１２１は，例えばその肉厚を１．６ｍｍとしてロールホーミングによって成形してあり，その室外側の見付面における幅方向中間位置に，例えば内外方向，本例にあっては室内側に向けて突出するように単一にして一連のＶ字屈曲部を配置し，該鋼板戸先部材１２１のＶ字状屈曲部によって戸先側縦枠１２における室外側の脆弱部１６を形成してある。
【００２２】
本例にあって該室外側の脆弱部１６をなす該Ｖ字屈曲部は，その先端に更に，例えばＶ字溝とした，一連又は断続，本例にあっては断続の折曲誘導溝１７を配置し，上記１．６ｍｍ厚の肉厚に対して該先端の肉厚を１ｍｍ乃至それ以下に薄肉化して該折曲誘導溝１７をより脆弱化することによって該脆弱部１６の脆弱性を向上したものとしてあり，該折曲誘導溝１７は，例えばロールホーミングの前にＶ字屈曲部の該当位置に所定深さの研削加工を施すことによってこれを形成してある。
【００２３】
また同じく上記室内側で戸先部分を構成するアルミ戸先部材１２２は，例えばその肉厚を１ｍｍ以上，例えば１．５ｍｍ程度としたアルミ押出形材によって形成してあり，該アルミ戸先部材１２２は，その上記気密材受１２３を室外側に向けて凹陥するように形成するとともにその奥行方向先端を先細り状とすることによって同じく単一にして一連のＶ字状屈曲部を配置し，該アルミ戸先部材１２２のＶ字状屈曲部によって戸先側における室内側の脆弱部１６を形成してある。該アルミ戸先部材１２２は，それ自体軟質系の金属であることから，該Ｖ字状屈曲部によって脆弱性を確保し得るが，必要に応じて上記と同様に更に一連の折曲誘導溝を配置することが可能であり，該折曲誘導溝１７の形成は，例えば押出成形時に同時成形してこれを配置するようにすればよい。
【００２４】
上下横枠１４は，例えば断面コ字状として上記吊元側及び戸先側縦枠１１，１２間に架設するように水平に配置してあるから，戸先側縦枠１２における脆弱部１６，即ちＶ字状屈曲部と対応した位置に，例えばその水平面に上下外向きの上向き又は下向き方向に該水平面を突出するように同じく単一のＶ字状屈曲部を配置し，該Ｖ字状屈曲部によって戸先側における上下横枠１４の脆弱部１６を形成したものとしてある。
【００２５】
また中間横枠１５は，例えば同じく断面コ字状として各縦枠１１，１２，１３間にそれぞれ複数本を介設するように配置してあるところ，戸先側縦枠１２とこれに隣接する中間縦枠１３間に水平に配置した中間横枠１５は，上記鋼板戸先部材１２１とアルミ戸先部材１２２のＶ字状屈曲部を避けて，戸先側縦枠１２側に位置する先端を幅狭プレート状として形成し，これを戸先側縦枠１２に接合してその枠組みを行ったものとしてあり，このとき該中間横枠１５には，該幅狭プレート状とした先端部分における，同じく上記戸先側縦枠１２における脆弱部１６，即ちＶ字状屈曲部と対応した位置に，例えばその水平面に外向きの上向き又は下向き方向に該水平面を突出するように単一のＶ字状屈曲部を配置し，該Ｖ字状屈曲部によって戸先側における中間横枠１５の脆弱部１６を形成したものとしてある。
【００２６】
表面板２は，表面，即ち室外側において上下左右の端部を室内側に向けてＬ字状に折曲して中骨における吊元側及び戸先側縦枠１１，１２と上下横枠１４を覆う折曲被覆部２１を形成した化粧鋼板によるものとし，また裏面，即ち室内側において上下左右の端部を室外側に折曲して室内側見付面に，上記アルミ戸先部材１２２における気密材受１２３を含めて連続するように配置した気密材受に挿入する折曲挿入部２２を形成した同じく化粧鋼板によるものとしてあり，このとき本例にあって該表裏の表面板２は，その見付面をフラットとすることによって脆弱部の形成を省略したものとしてある。
【００２７】
このように形成した中骨１と表面板２は，室外側の表面板２で中骨１の表面，左右及び上下面を覆い，また室内側の表面板２は，その端部を気密材受１２３に挿入して裏面を覆うとともに気密材受１２３に気密材１８を配置して耐震ドアＡを構成したものとしてある。このとき本例の対震ドアＡは，その戸先側縦枠１２の脆弱部１６の脆弱性が，彫込錠の設置によって阻害されるのを防止するように室内側に面付錠５を設置したものとしてあり，このとき該面付錠５の固定は，これを，戸先側縦枠１２の脆弱部１６をなす上記表裏のＶ字状屈曲部より面内方向に変位してこれらを避けて配置した錠前ケース５４に装着することによって行ってある。
【００２８】
以上のとおり中骨１に脆弱部１６を形成して構成した本例の耐震ドアＡは，そのドアパネルとしての剛性を確保するように枠組み配置した中骨１の脆弱部１６は，その戸先側縦枠１２と該縦枠１２に交差する横枠１４，１５に配置されることによって，耐震ドアＡは，その表裏囲繞方向に断続的に圧縮自在の座屈自在性を備えたものとなり，従って地震によってドア枠６が変形し，その加圧力が該ドアＡの戸先側に対して作用すると，上記各Ｖ字状屈曲部がそれぞれ内外方向に圧縮されるように屈曲乃至折曲して該脆弱部１６において座屈を生じ，また薄肉の表面板２がこれに追随して，例えば波打ち状乃至Ｖ字状等に屈曲する結果，耐震ドアＡがその部分的な座屈変形を許容するものとなり，例えばドア枠が平行四辺形となるようにドア枠６の戸先縦枠が傾斜変形したときには，耐震ドアＡの戸先が，戸先縦枠の傾斜に沿ってこれに馴染んで変形するように，耐震ドアＡの座屈変形自在性を確保することができ，従ってドア枠６変形時のドア枠６と耐震ドアＡの圧着による開閉不能を解消することが可能となる。
【００２９】
図中４はドアＡの開閉用ハンドル，２４は耐震ドアＡに配置した装飾用モール，６１は，本例にあって上記脆弱部１６を戸先側に配置したことによって，例えばバール等をドア枠６と耐震ドアＡの戸先間に差込んで戸先を変形される可能性を解消するように，既設のドア枠６，特にその戸先縦枠と耐震ドアＡの戸先間の空隙を閉塞するようにドア枠６に設置した目隠しプレートを示す。
【００３０】
図４は他の例を示したもので，本例にあって耐震ドアＡは，脆弱部２３を，表裏双方又は一方，本例にあっては一方の表面板２，即ち室外側の表面板に追加的に形成した例であって，本例にあって該表面板２における脆弱部２３は，上記中骨１と同様に，これを，ドア枠６の変形加圧を受けて圧縮自在な単一のＶ字状屈曲部の配置によって形成したものとしてあり，このとき該表面板２のＶ字状屈曲部は，これを，上記中骨１，特にその鋼板戸先部材１２１の脆弱部１６と同一位置にして同一の内外方向，即ち本例にあっては室内側に向けて突出するように見付面における戸先側部分に配置してある。
【００３１】
本例にあっては，表面板２の脆弱部２３も中骨１におけると同様に圧縮自在の座屈自在性を有するものとなるから，上記ドア枠６の変形加圧を受けることによって耐震ドアＡの座屈変形を容易且つ確実に行うものとなり，耐震ドアＡの座屈変形自在性を更に向上することができる。また本例にあって脆弱部２３をＶ字状屈曲部によって形成することによって該脆弱部２３は表面板２，特に室外側の表面板に上下方向ストライプ状の溝を形成する結果，該脆弱部２３が耐震ドアＡにおけるデザイン要素としてのアクセントとなって，脆弱部２３を配置することによりドア外観を損なうことを防止できる。
【００３２】
図５は更に他の例を示したもので，本例にあって耐震ドアＡは，その戸先側縦枠１２の上記アルミ戸先部材１２２の室内側先端を室内側に突出するとともにその先端をＴ字状に分岐してドア枠６側に該ドア枠６の戸先縦枠を覆う突片１２５を設置し，該突片１２３によって上記目隠しプレート６１に代えた隙間閉塞を行う一方，室外側の表面板２を該分岐部分を覆うように配置することによって室外側の鋼板戸先部材１２１に形成した脆弱部１６位置に室外側に傾斜突出するように表面板２の傾斜段部を形成し，該傾斜段部を室外側の表面板２における脆弱部２３とした例であり，また本例にあって上記と同様に設置した面付錠５は，ドア枠６，特にその戸先側縦枠に設置したストライク受５３との間で施錠を行うようにするとともにこのとき該ストライク受５３は，その内部のストライク対接位置の室外側と室内側の一方又は双方に転動部品又は滑動部品による開錠阻害防止部材を配置し，施錠時に面付錠のストライク５２とストライク受５３の位置関係が損なわれることによって地震時にストライク５２が抜けないことに起因して面付錠５が開錠不能になるのを解消するようにしてあり，本例にあって該開錠阻害防止部材は，これを，上記転動部材としてベアリング受５３１にベアリングボール５３２をストライク５２側に向けて膨出するように設置したベアリングによるものとしてある。図中５１は面付錠５のサムターンを示す。
【００３３】
図４及び図５におけるその余は，それぞれ上記図１乃至図３に示した例と変わらないので，同一符合を付してその重複する説明を省略する。
【００３４】
図示した例は以上のとおりとしたが，脆弱部を中骨のドア面内における幅方向中間の中間縦枠位置に配置すること，表面板に脆弱部を配置するとき，該脆弱部の位置を中骨に配置した脆弱部と同一又は異なる位置として，中骨の脆弱部の座屈に追随して表面板の脆弱部を座屈するようにすること，脆弱部の配置を中骨又はこれと表面板の複数箇所に配置してドアの座屈変形幅を大きく確保するようにすること，脆弱部を上記Ｖ字状屈曲部によって形成するとき，単一のＶ字状屈曲部を連続した形態としてＷ字状乃至蛇腹状のものとすること，中骨又はこれと表面板の脆弱部を，ドア枠の変形加圧を受けてスライド自在な単一乃至複数の挟持係合部の配置によって形成すること，この場合，例えば脆弱部を配置する中骨又は表面板を幅方向に分割した分割部材とし，その一方の分割部材の接合端をハゼ折りし，他方の分割部材の接合端を上記ハゼ折り溝内にスライド自在に抱持するように挟持係合して接合することによって，ドア枠の変形加圧を受けた際に分割部材が相互にスライドしてドアの座屈変形自在性を確保し得るようにすること，中骨又はこれと表面板の脆弱部を，上記単一又は複数のＶ字状屈曲部と単一又は複数の挟持係合部の双方によって構成すること，戸先側又は中間縦枠に上記単一乃至複数のＶ字状屈曲部によって形成した脆弱部を配置するについて，該縦枠を単一部材の鋼製部材として形成し，その室内側及び室外側の見付面に上記Ｖ字状折曲部を配置すること，該縦枠を単一部材として形成するとき，鋼製の中骨において該縦枠を軟質金属のアルミ押出形材によって形成し，同様にその室内側及び室外側の見付面に上記Ｖ字状折曲部を配置すること，上記面付錠に代えて彫込錠を用いて戸先側縦枠等に脆弱部を配置するとき，該戸先側縦枠を幅広として，その該彫込錠位置を避けた内側の位置にこれを配置すること等を含めて，本発明の実施に当って，ドア枠，ドア，その脆弱部，必要に応じて用いるＶ字状屈曲部，挟持係合部等の各具体的材質，形状，構造，これらの関係，これらに対する付加等は，上記発明の要旨に反しない限り様々な形態のものとすることができる。
【図面の簡単な説明】
【００３５】
【図１】耐震ドアの戸先側構造を示す部分拡大横断面図である。
【図２】耐震ドアの中骨における脆弱部の配置状態を示す正面図である。
【図３】耐震ドアの戸先部分の脆弱部配置状態を示す斜視図である。
【図４】表面板に脆弱部を配置した例の耐震ドアの戸先側構造を示す拡大横断面図である。
【図５】表面板に脆弱部を配置した他の例の耐震ドアの戸先側構造を示す拡大横断面図である。
【符号の説明】
【００３６】
Ａ  耐震ドア
１  中骨
１１  吊元側縦枠
１２  戸先側縦枠
１３  中間縦枠
１４  上下横枠
１５  中間横枠
１６  脆弱部（Ｖ字状屈曲部）
２  表面板
２３  脆弱部（Ｖ字状屈曲部）
５  面付錠
６  ドア枠
【図１】
2007023684.tif 000003
【図２】
2007023684.tif 000004
【図３】
2007023684.tif 000005
【図４】
2007023684.tif 000006
【図５】
2007023684.tif 000007